(57)【要約】  複数の光電変換素子（６ｋ）が配列して実装されるセンサ基板（７）、センサ基板（７）に原稿からの反射光を結像する結像素子（５）を保持するフレーム（８）において、結像素子（５）は、少なくとも長手方向の一方の端部を切断した複数のロッドレンズアレイ（５）の切断部を互いに接続し所定の読み取り幅とし、フレーム（８）は、ロッドレンズアレイ（５）を保持する保持部（１３）を有し、保持部（１３）は、ロッドレンズアレイ（５）の切断部、及び／又は、接続部が位置する底面（１３Ｂ）を幅広とする。
2010106656.tif 000002
【特許請求の範囲】
【請求項１】
光電変換素子が複数実装されたセンサ基板と、
原稿照明用の光源と、
前記センサ基板に原稿からの反射光を結像する結像素子と、
これらを保持するフレームとを有するイメージセンサユニットであって、
前記結像素子は、少なくとも長手方向の一方の端部を切断した複数のロッドレンズアレイの切断部を互いに接続し所定の読み取り幅とし、
前記フレームは、前記ロッドレンズアレイを保持する保持部を有し、
前記保持部は、前記ロッドレンズアレイの切断部、及び／又は、接続部が位置する底面を幅広にしたことを特徴とするイメージセンサユニット。
【請求項２】
前記保持部内に開口するよう前記保持部の幅方向の一方の側面に断続的に設けられた複数の接着剤逃げ溝と、
前記ロッドレンズアレイの接続部を覆うように塗布された第１の接着剤と、
前記接着剤逃げ溝内に塗布され前記保持部と前記ロッドレンズアレイとを接着させた第２の接着剤とを有し、
前記第１の接着剤は、前記第２の接着剤より硬度が高いことを特徴とする請求項１に記載のイメージセンサユニット。
【請求項３】
前記接着剤逃げ溝は、少なくとも前記ロッドレンズアレイの接続部を挟んだ両側の前記保持部の幅方向の一方の側面に形成されていることを特徴とする請求項２に記載のイメージセンサユニット。
【請求項４】
光電変換素子が複数実装されたセンサ基板と、
原稿照明用の光源と、
前記センサ基板に原稿からの反射光を結像する結像素子と、
これらを保持するフレームとを有するイメージセンサユニットであって、
前記結像素子は、ロッドレンズアレイを切断して所定の読み取り幅とし、
前記フレームは、前記ロッドレンズアレイを保持する保持部を有し、
前記保持部は、前記ロッドレンズアレイの切断部が位置する底面を幅広にしたことを特徴とするイメージセンサユニット。
【請求項５】
光電変換素子が複数実装されたセンサ基板と、
原稿照明用の光源と、
前記センサ基板に原稿からの反射光を結像する結像素子と、
これらを保持するフレームとを有するイメージセンサユニットであって、
前記結像素子は、少なくとも長手方向の一方の端部を切断した複数のロッドレンズアレイの切断部を互いに接続し所定の読み取り幅とし、
前記フレームは、前記ロッドレンズアレイを保持する保持部を有し、
前記保持部は、前記ロッドレンズアレイの切断部、及び／又は、接続部が位置する底面に溝部を有することを特徴とするイメージセンサユニット。
【請求項６】
前記保持部内に開口するよう前記保持部の幅方向の一方の側面に断続的に設けられた複数の接着剤逃げ溝と、
前記ロッドレンズアレイの接続部を覆うように塗布された第１の接着剤と、
前記接着剤逃げ溝内に塗布され前記保持部と前記ロッドレンズアレイとを接着させた第２の接着剤とを有し、
前記第１の接着剤は、前記第２の接着剤より硬度が高いことを特徴とする請求項５に記載のイメージセンサユニット。
【請求項７】
前記接着剤逃げ溝は、少なくとも前記ロッドレンズアレイの接続部を挟んだ両側の前記保持部の幅方向の一方の側面に形成されていることを特徴とする請求項６に記載のイメージセンサユニット。
【請求項８】
光電変換素子が複数実装されたセンサ基板と、
原稿照明用の光源と、
前記センサ基板に原稿からの反射光を結像する結像素子と、
これらを保持するフレームとを有するイメージセンサユニットであって、
前記結像素子は、ロッドレンズアレイを切断して所定の読み取り幅とし、
前記フレームは、前記ロッドレンズアレイを保持する保持部を有し、
前記保持部は、前記ロッドレンズアレイの切断部が位置する底面に溝部を有することを特徴とするイメージセンサユニット。
【請求項９】
請求項１乃至８の何れか１項に記載のイメージセンサユニットを用いた画像読み取り装置。
【発明の詳細な説明】
【技術分野】
【０００１】
本発明は、密着型イメージセンサユニット、及び、密着型イメージセンサユニットを用いた画像読み取り装置に関する。特にはロッドレンズアレイを搭載した長尺（又は、短尺）の密着型イメージセンサユニット、及び、密着型イメージセンサユニットを用いた画像読み取り装置に関する。
【背景技術】
【０００２】
従来、ファクシミリ、複写機、スキャナー等に利用される画像読み取り装置としてイメージセンサユニットが用いられる。上述するイメージセンサユニットにおいて、ロッドレンズアレイを用いたイメージセンサユニットとして密着型イメージセンサユニット（ＣＩＳ；Ｃｏｎｔａｃｔ Ｉｍａｇｅ Ｓｅｎｓｏｒ）が知られている。このロッドレンズアレイは、構造上読み取り幅と同じ長さのロッドレンズアレイが必要であるため、長尺（又は、短尺）のイメージセンサを設計する場合、その読み取り幅に適合した長さのロッドレンズアレイを使用する必要がある。このため、専用部品を新たに用意する必要があり高価となる問題があった。【０００３】
このため、例えば、特許文献１では、図１２に示すように長尺のイメージセンサを設計する場合において、一定長のロッドレンズアレイ３０Ａ、３０Ｂを互いに接続（接合）することにより、汎用のロッドレンズアレイを使用して、長尺のロッドレンズアレイ３０を構成するイメージセンサユニットが提案されている。【０００４】
【特許文献１】特開２００５−２１７６３０号公報
【発明の開示】
【０００５】
ところで、一般にロッドレンズアレイはＡ４幅に適合するものが多く使用されており、上述の密着型イメージセンサユニットにおいて、例えばＡ３幅に適合させるにはＡ４幅のロッドレンズアレイ３０ＡとＡ４幅のロッドレンズアレイ３０Ｂを切断したものとを接続して使用する必要がある。この時、ロッドレンズアレイ３０の構成上、ロッドレンズ同士を近接配列することが望ましく、接続部にあたる端部を夫々切断し、ロッドレンズを露出させる必要がある。このため、切断面にバリが発生する問題があった。また、例えばＡ６幅に適合させるにはＡ４幅のロッドレンズアレイを切断して使用する必要があり、切断面にバリが発生する問題があった。
【０００６】
このため、ロッドレンズアレイ３０の取り付け面にバリの影響を与えないようにロッドレンズアレイ３０Ａ・３０Ｂの方向管理を行うか、または、バリを削り取る必要があり、工数が増えコストが増大する問題があった。
本発明はかかる実情に鑑みなされたものであり、接続前後のロッドレンズアレイの方向管理やロッドレンズアレイの切断時に切断面に生じるバリの削り取りを行うことなく、バリ影響を排除できるイメージセンサユニット、及び、それを用いた画像読み取り装置を提供することを目的とする。
【０００７】
本発明のイメージセンサユニットは、光電変換素子が複数実装されたセンサ基板と、原稿照明用の光源と、前記センサ基板に原稿からの反射光を結像する結像素子と、これらを保持するフレームとを有するイメージセンサユニットであって、前記結像素子は、少なくとも長手方向の一方の端部を切断した複数のロッドレンズアレイの切断部を互いに接続し所定の読み取り幅とし、前記フレームは、前記ロッドレンズアレイを保持する保持部を有し、前記保持部は、前記ロッドレンズアレイの切断部、及び／又は、接続部が位置する底面を幅広にしたことを特徴とする。
本発明のイメージセンサユニットは、前記保持部内に開口するよう前記保持部の幅方向の一方の側面に断続的に設けられた複数の接着剤逃げ溝と、前記ロッドレンズアレイの接続部を覆うように塗布された第１の接着剤と、前記接着剤逃げ溝内に塗布され前記保持部と前記ロッドレンズアレイとを接着させた第２の接着剤とを有し、前記第１の接着剤は、前記第２の接着剤より硬度が高いことを特徴とする。
本発明のイメージセンサユニットは、前記接着剤逃げ溝は、少なくとも前記ロッドレンズアレイの接続部を挟んだ両側の前記保持部の幅方向の一方の側面に形成されていることを特徴とする。
本発明のイメージセンサユニットは、光電変換素子が複数実装されたセンサ基板と、原稿照明用の光源と、前記センサ基板に原稿からの反射光を結像する結像素子と、これらを保持するフレームとを有するイメージセンサユニットであって、前記結像素子は、ロッドレンズアレイを切断して所定の読み取り幅とし、前記フレームは、前記ロッドレンズアレイを保持する保持部を有し、前記保持部は、前記ロッドレンズアレイの切断部が位置する底面を幅広にしたことを特徴とする。
本発明のイメージセンサユニットは、光電変換素子が複数実装されたセンサ基板と、原稿照明用の光源と、前記センサ基板に原稿からの反射光を結像する結像素子と、これらを保持するフレームとを有するイメージセンサユニットであって、前記結像素子は、少なくとも長手方向の一方の端部を切断した複数のロッドレンズアレイの切断部を互いに接続し所定の読み取り幅とし、前記フレームは、前記ロッドレンズアレイを保持する保持部を有し、前記保持部は、前記ロッドレンズアレイの切断部、及び／又は、接続部が位置する底面に溝部を有することを特徴とする。
本発明のイメージセンサユニットは、前記保持部内に開口するよう前記保持部の幅方向の一方の側面に断続的に設けられた複数の接着剤逃げ溝と、前記ロッドレンズアレイの接続部を覆うように塗布された第１の接着剤と、前記接着剤逃げ溝内に塗布され前記保持部と前記ロッドレンズアレイとを接着させた第２の接着剤とを有し、前記第１の接着剤は、前記第２の接着剤より硬度が高いことを特徴とする。
本発明のイメージセンサユニットは、前記接着剤逃げ溝は、少なくとも前記ロッドレンズアレイの接続部を挟んだ両側の前記保持部の幅方向の一方の側面に形成されていることを特徴とする。
本発明のイメージセンサユニットは、光電変換素子が複数実装されたセンサ基板と、原稿照明用の光源と、前記センサ基板に原稿からの反射光を結像する結像素子と、これらを保持するフレームとを有するイメージセンサユニットであって、前記結像素子は、ロッドレンズアレイを切断して所定の読み取り幅とし、前記フレームは、前記ロッドレンズアレイを保持する保持部を有し、前記保持部は、前記ロッドレンズアレイの切断部が位置する底面に溝部を有することを特徴とする。
本発明の画像読み取り装置は、上述したイメージセンサユニットを用いたものである。
【０００８】
以上のように、ロッドレンズアレイを切断したり接続したりすることで、長尺、又は短尺のイメージセンサの読み取り幅に適合させた場合、フレームに設けられた保持部において、ロッドレンズアレイの切断部、及び／又は、接続部が位置する底面を幅広にしたことにより、切断時に切断面に発生したバリを退避できる。このため、接続前後のロッドレンズアレイの方向管理やバリの削り取りを行うことなくバリ影響を排除できる。
また、フレームに設けられた保持部において、ロッドレンズアレイの切断部、及び／又は、接続部が位置する底面に溝部を備えたことにより、切断時に切断面に発生したバリを退避できる。このため、接続前後のロッドレンズアレイの方向管理やバリの削り取りを行うことなくバリ影響を排除できる。
【図面の簡単な説明】
【０００９】
【図１】図１は、本発明を適用できるイメージスキャナーの構造を示す図である。
【図２】図２は、イメージセンサユニット２を示す図である。
【図３】図３は、フレーム８の構造を示す上面図である。
【図４】図４は、ロッドレンズアレイ５の切断状況を示す模式図である。
【図５】図５は、フレーム８の構造を示すＩ−Ｉ線による断面図である。
【図６】図６は、フレーム８の構造を示すＩＩ−ＩＩ線による断面図である。
【図７】図７は、フレーム２１の構造を示す上面図である。
【図８】図８は、他のフレーム８の構造を示す上面図である。
【図９】図９は、他のロッドレンズアレイ５の切断状況を示す模式図である。
【図１０】図１０は、他のフレーム８の構造を示すＩ−Ｉ線による断面図である。
【図１１】図１１は、他のフレーム２１の構造を示す上面図である。
【図１２】図１２は、特許文献１に記載された密着型イメージセンサユニットを示す図である。
【発明を実施するための最良の形態】
【００１０】
以下、本発明の実施の形態について図面に基づき詳細に説明する。
図１は本発明を適用できるスキャナ（画像読み取り装置）の構造を示す図である。筺体１の内部に、光電変換装置としてイメージセンサユニット２が格納されている。イメージセンサユニット２は、例えば、密着型イメージセンサ（ＣＩＳ：contact image sensor）ユニットである。また、筺体１内には、イメージセンサユニット２から出力された信号を処理する信号処理部（図示せず）も設けられている。【００１１】
図２は、イメージセンサユニット２の構造を示す図である。
イメージセンサユニット２には、ＬＥＤ等からなる原稿照明用の光源３と、この光源３からの光を原稿（図示せず）へと導く導光体４と、結像素子としてのロッドレンズアレイ５とが設けられている。更に、イメージセンサユニット２には、ロッドレンズアレイ５から出てきた光を電気信号に変換する光電変換素子６ｋ（ｋは１から８の自然数）、及び、光電変換素子６ｋが実装されたセンサ基板７が設けられている。尚、本実施形態では、光電変換素子の数が８個であるが、光電変換素子の数は特に限定されない。【００１２】
光源３、導光体４、ロッドレンズアレイ５、光電変換素子６ｋが実装されたセンサ基板７は、後述する支持体としてのフレーム８に夫々取り付けられた構成である。このように構成されたイメージセンサユニット２では、光源３から発せられた光が導光体４により原稿に導かれる。そして、原稿からの反射光がロッドレンズアレイ５により、光電変換素子６ｋに集束結像する。その後、反射光は光電変換素子６ｋにより電気信号に変換され、この電気信号がセンサ基板７を介して信号処理部（図示せず）により処理される。このようにして、原稿の読み取りが行われる。【００１３】
ここで、長尺時におけるロッドレンズアレイ５とフレーム８との関係について説明する。図３は、本発明を適用できるフレーム８の構造を示す上面図である。
図３に示すロッドレンズアレイ５は、微小な屈折率分布型ロッドレンズ９を、光軸を平行に複数配列した状態で不透光性の樹脂で固着し、全体で１個の連続した正立等倍実像が形成される光学部品から成る。このロッドレンズアレイ５は、第１のロッドレンズアレイ５Ａと第２のロッドレンズアレイ５Ｂとが夫々接続された構成である。【００１４】
第１のロッドレンズアレイ５Ａは、Ａ４幅のロッドレンズアレイを切断したものである。第２のロッドレンズアレイ５ＢもＡ４幅のロッドレンズアレイを切断したものである。第１のロッドレンズアレイ５Ａと第２のロッドレンズアレイ５Ｂとを接続することでＡ３幅に適合できるものである。また、第１のロッドレンズアレイ５Ａと第２のロッドレンズアレイ５Ｂとの接続面は、夫々切断されており、第１のロッドレンズアレイ５Ａの接続部に位置するロッドレンズ９と第２のロッドレンズアレイ５Ｂの接続部に位置するロッドレンズ９は互いに接するように近接配列されるものである。ロッドレンズアレイ５は、隣接配置されたロッドレンズ９間の隙間に例えば黒色の遮光効果のあるシリコン系樹脂接着剤からなるシール剤１０を充填することで外部からの光を遮断できる構造である。このシール剤１０を覆うように第１の接着剤１１が塗布されて、第１のロッドレンズアレイ５Ａと第２のロッドレンズアレイ５Ｂとが接続される。【００１５】
ところで、第１のロッドレンズアレイ５Ａと第２のロッドレンズアレイ５Ｂの切断時、幅方向の両側に焦点方向に対し垂直方向に０．１ｍｍ程度のバリ１２が発生する（図４参照）。このため、ロッドレンズアレイ５をフレーム８に固定する際に、ロッドレンズアレイ５の取り付け面にバリ１２の影響を与えないようにロッドレンズアレイ５Ａ、及び、５Ｂの方向管理を行うか、バリ１２を退避させる必要がある。尚、図４に示す２０は切断用のブレードである。【００１６】
即ち、フレーム８はロッドレンズアレイ５を保持する溝状の保持部１３を備えている。この保持部１３はロッドレンズアレイ５との当接時に当接する当接面１３Ａ（保持部１３の片側の壁面）と底面１３Ｂとを備えている。また、フレーム８には、底面１３Ｂと同一面上にバリ逃げ部１４が設けられている。このバリ逃げ部１４は前記ロッドレンズアレイ５の接続部が位置する底面１３Ｂの一部を幅広にしたものであり、底面１３Ｂの短手方向（幅方向）の両側に設けられる。【００１７】
尚、これらのバリ逃げ部１４はロッドレンズアレイ５の接続部が位置する場所だけでなく、ロッドレンズアレイ５の切断部が位置する底面１３Ｂの両壁面側に設けられるものである。即ち、接続したロッドレンズ５の長さを調整するため等に、接続されたロッドレンズアレイ５の一方の端部又は両方の端部を切断して、切断部となっていることがある。このような場合、この切断部にもバリが発生しているために、上述したようにロッドレンズアレイ５の切断部が位置する底面１３Ｂの両壁面側にバリ逃げ部１４を設けてもよい。このように、ロッドレンズアレイ５の切断部、及び／又は、接続部が位置する底面１３Ｂを幅広にしたバリ逃げ部１４が設けられるものである。【００１８】
また、フレーム８には、接着剤逃げ溝１５が設けられている。接着剤逃げ溝１５は、フレーム８に設けられた保持部１３内に開口するよう当接面１３Ａに断続的に複数設けられている。また、フレーム８には、接続部逃げ溝１６が設けられている。接続部逃げ溝１６は、ロッドレンズアレイ５の接続部に対応する位置であって、フレーム８に設けられた保持部１３内に開口するよう当接面１３Ａ、及び、当接面１３Ａの対向する壁面に設けられている。【００１９】
この構成により、ロッドレンズアレイ５をフレーム８に固定するには、例えば図示しないスペーサー等を利用して、当接面１３Ａと底面１３Ｂにロッドレンズアレイ５を密着させる。その後、第２の接着剤１７を接続部逃げ溝１６内においてロッドレンズアレイ５の接続部（シール剤１０）を挟んだ両近傍、及び、長手方向において断続的に設けられた接着剤逃げ溝１５内に夫々塗布し、ロッドレンズアレイ５とフレーム８とを所定の読み取り幅に渡り固定するものである。（図５、及び、図６参照）【００２０】
この時、底面１３Ｂ上にロッドレンズアレイ５の接続部を当接する際、ロッドレンズアレイ５の接続部は接続部逃げ溝１６に退避できる。また、ロッドレンズアレイ５Ａ、及び、５Ｂの切断時に発生したバリ１２は、夫々当接面１３Ａ側の側面においてはバリ逃げ部１４に、当接面１３Ａの対向する側の側面はロッドレンズアレイ５の固定時にできる保持部１３の隙間内、及び、バリ逃げ部１４にバリ１２を退避できることになる。
このため、バリ１２の影響を排除してロッドレンズアレイ５を構成する第１のロッドレンズアレイ５Ａと第２のロッドレンズアレイ５Ｂをフレーム８内に直列状態に保持できるものである。【００２１】
本実施の形態では、ロッドレンズアレイを接続し、長尺のイメージセンサの読み取り幅に適合させた場合において、フレーム８に設けられた保持部１３内にバリ逃げ部１４を設けたことにより、ロッドレンズアレイ５の切断時に発生したバリ１２を退避できる。このため、接続前後のロッドレンズアレイの方向管理やバリの削り取りを行うことなくバリの影響を排除できる。【００２２】
また、第２の接着剤１７はロッドレンズアレイ５の当接面１３Ａ側のみに塗布されるため、第２の接着剤１７の硬化時のヒケ、ひずみ等による影響をロッドレンズアレイ５の片側のみに限定することができる。このためロッドレンズアレイ５両側からの影響を排除でき、接続部へのロッドレンズ９間の隙間の発生、ズレ、傾き等の影響を低減できる。【００２３】
さらに、第２の接着剤１７をシール剤１０の両側近傍に塗布することにより、第２の接着剤１７の硬化時のヒケ、ひずみ等の発生がこの位置を起点として起こることになり、これらの影響をロッドレンズアレイ５の長手方向の両端部へ逃がすことができる。このため、接続部のロッドレンズ９間の隙間の発生、ズレ、傾き等の影響に対してさらなる低減が期待できる。【００２４】
また、第１の接着剤１１の硬度を第２の接着剤１７の硬度より高くすることで、第１の接着剤１１への第２の接着剤１７の温湿度による伸縮等の影響を低減できるため、接続部のロッドレンズ９間の隙間の発生、ズレ、傾き等の影響を低減できる。【００２５】
次に、短尺時におけるロッドレンズアレイ２０とフレーム２１との関係について説明する。図７は、本発明を適用できるフレーム２１の構造を示す上面図である。
図７に示すロッドレンズアレイ２０はＡ４幅のロッドレンズアレイを切断したものであり、Ａ４以下の幅に適合するものである。【００２６】
フレーム２１はロッドレンズアレイ２０を保持する溝状の保持部１３を備えている。この保持部１３はロッドレンズアレイ２０との当接時に当接する当接面１３Ａ（保持部１３の片側の壁面）と底面１３Ｂとを備えている。また、保持部１３には、底面１３Ｂと同一面上にバリ逃げ部１４が設けられている。このバリ逃げ部１４は前記ロッドレンズアレイ２０の長手方向の最端部の切断部が位置する底面１３Ｂの一部を幅広にしたものであり、底面１３Ｂの短手方向（幅方向）の両側に設けられる。【００２７】
また、フレーム２１には、接着剤逃げ溝１５が設けられている。接着剤逃げ溝１５は、フレーム２１に設けられた保持部１３内に開口するよう当接面１３Ａに断続的に複数設けられている。【００２８】
この構成により、ロッドレンズアレイ２０をフレーム２１に固定するには、例えば図示しないスペーサー等を利用して、当接面１３Ａと底面１３Ｂにロッドレンズアレイ２０を密着させる。その後、第２の接着剤１７を長手方向において断続的に設けられた接着剤逃げ溝１５内に夫々塗布し、ロッドレンズアレイ２０とフレーム２１とを所定の読み取り幅に渡り固定するものである。【００２９】
この時、ロッドレンズアレイ２０の切断時に発生したバリ１２は、夫々当接面１３Ａ側の側面においてはバリ逃げ部１４に、当接面１３Ａの対向する側の側面はロッドレンズアレイ２０の固定時にできる保持部１３の隙間内、及び、バリ逃げ部１４にバリ１２を退避できることになる。【００３０】
本実施の形態では、ロッドレンズアレイを切断し、短尺のイメージセンサの読み取り幅に適合させた場合において、フレーム２１に設けられた保持部１３内にバリ逃げ部１４を設けたことにより、ロッドレンズアレイ２０の切断時に発生したバリ１２を退避できる。このため、接続前後のロッドレンズアレイの方向管理やバリの削り取りを行うことなくバリの影響を排除できる。【００３１】
また、第２の接着剤１７はロッドレンズアレイ２０の当接面１３Ａ側のみに塗布されるため、第２の接着剤１７の硬化時のヒケ、ひずみ等による影響をロッドレンズアレイ２０の片側のみに限定することできる。このためロッドレンズアレイ２０両側からの影響を排除でき、ロッドレンズアレイ２０の短手方向（幅方向）への位置ズレ、傾き等の影響を低減できる。【００３２】
［他の実施の形態］
図８は、本発明を適用できる他のフレーム８の構造を示す上面図である。
図８に示すロッドレンズ５において、切断方法によっては第１のロッドレンズアレイ５Ａと第２のロッドレンズアレイ５Ｂの切断時、幅方向の両側に焦点方向に０．１ｍｍ程度のバリ１８が発生する場合がある（図９参照）。このため、ロッドレンズアレイ５をフレーム８に固定する際に、ロッドレンズアレイ５の取り付け面にバリ１８の影響を与えないようにロッドレンズアレイ５Ａ、及び、５Ｂの方向管理を行うか、バリ１８を退避させる必要がある。【００３３】
即ち、フレーム８はロッドレンズアレイ５を保持する溝状の保持部１３を備えている。この保持部１３はロッドレンズアレイ５との当接時に当接する当接面１３Ａ（保持部１３の片側の壁面）と底面１３Ｂとを備えている。また、フレーム８には、底面１３Ｂに一対のバリ逃げ溝１９が設けられている。尚、バリ逃げ溝１９は、一対である場合に限られず、バリの数や大きさに応じて、バリ逃げ溝１９の数や大きさを変更することができる。【００３４】
尚、これらのバリ逃げ溝１９はロッドレンズアレイ５の接続部が位置する場所だけでなく、ロッドレンズアレイ５の切断部が位置する底面１３Ｂに設けられるものである。即ち、接続したロッドレンズ５の長さを調整するため等に、接続されたロッドレンズアレイ５の一方の端部又は両方の端部を切断して、切断部となっていることがある。このような場合、この切断部にもバリが発生しているために、上述したようにロッドレンズアレイ５の切断部が位置する底面１３Ｂにバリ逃げ溝１９を設けてもよい。このように、ロッドレンズアレイ５の切断部、及び／又は、接続部が位置する底面１３Ｂにバリ逃げ溝１９が設けられるものである。【００３５】
また、フレーム８には、接着剤逃げ溝１５が設けられている。接着剤逃げ溝１５は、フレーム８に設けられた保持部１３内に開口するよう当接面１３Ａに断続的に複数設けられている。また、フレーム８には、接続部逃げ溝１６が設けられている。接続部逃げ溝１６は、ロッドレンズアレイ５の接続部に対応する位置であって、フレーム８に設けられた保持部１３内に開口するよう当接面１３Ａ、及び、当接面１３Ａの対向する壁面に設けられている。【００３６】
この構成により、ロッドレンズアレイ５をフレーム８に固定するには、例えば図示しないスペーサー等を利用して、当接面１３Ａと底面１３Ｂにロッドレンズアレイ５を密着させる。その後、第２の接着剤１７を接続部逃げ溝１６内においてロッドレンズアレイ５の接続部（シール剤１０）を挟んだ両近傍、及び、長手方向において断続的に設けられた接着剤逃げ溝１５内に夫々塗布し、ロッドレンズアレイ５とフレーム８とを所定の読み取り幅に渡り固定するものである（図１０も参照）。【００３７】
この時、底面１３Ｂ上にロッドレンズアレイ５の接続部を当接する際、ロッドレンズアレイ５の接続部は接続部逃げ溝１６に退避できる。また、ロッドレンズアレイ５Ａ、及び、５Ｂの切断時に発生したバリ１８は、バリ逃げ溝１９に退避できる。
このため、バリ１８の影響を排除してロッドレンズアレイ５を構成する第１のロッドレンズアレイ５Ａと第２のロッドレンズアレイ５Ｂをフレーム８内に直列状態に保持できるものである。
本実施の形態では、ロッドレンズアレイを接続し、長尺のイメージセンサの読み取り幅に適合させた場合において、フレーム８に設けられた保持部１３内に一対のバリ逃げ溝１９を設けたことにより、ロッドレンズアレイ５の切断時に発生したバリ１８を退避できる。このため、接続前後のロッドレンズアレイの方向管理やバリの削り取りを行うことなくバリの影響を排除できる。【００３８】
また、第２の接着剤１７はロッドレンズアレイ５の当接面１３Ａ側のみに塗布されるため、第２の接着剤１７の硬化時のヒケ、ひずみ等による影響をロッドレンズアレイ５の片側のみに限定することができる。このためロッドレンズアレイ５両側からの影響を排除でき、接続部へのロッドレンズ９間の隙間の発生、ズレ、傾き等の影響を低減できる。【００３９】
さらに、第２の接着剤１７をシール剤１０の両側近傍に塗布することにより、第２の接着剤１７の硬化時のヒケ、ひずみ等の発生がこの位置を起点として起こることになり、これらの影響をロッドレンズアレイ５の長手方向の両端部へ逃がすことができる。このため、接続部のロッドレンズ９間の隙間の発生、ズレ、傾き等の影響に対してさらなる低減が期待できる。【００４０】
また、第１の接着剤１１の硬度を第２の接着剤１７の硬度より高くすることで、第１の接着剤１１への第２の接着剤１７の温湿度による伸縮等の影響を低減できるため、接続部のロッドレンズ９間の隙間の発生、ズレ、傾き等の影響を低減できる。【００４１】
次に、短尺時におけるロッドレンズアレイ２０とフレーム２１との関係について説明する。図１１は、本発明を適用できる他のフレーム２１の構造を示す上面図である。
図１１に示すロッドレンズアレイ２０はＡ４幅のロッドレンズアレイを切断したものであり、Ａ４以下の幅に適合するものである。【００４２】
フレーム２１はロッドレンズアレイ２０を保持する溝状の保持部１３を備えている。この保持部１３はロッドレンズアレイ２０との当接時に当接する当接面１３Ａ（保持部１３の片側の壁面）と底面１３Ｂとを備えている。また、保持部１３には、底面１３Ｂに一対にバリ逃げ溝１９が設けられている。このバリ逃げ溝１９は前記ロッドレンズアレイ２０の最端部の切断部が位置する底面１３Ｂに設けられる。尚、バリ逃げ溝１９は、一対である場合に限られず、バリの数や大きさに応じて、バリ逃げ溝１９の数や大きさを変更することができる。【００４３】
また、フレーム２１には、接着剤逃げ溝１５が設けられている。接着剤逃げ溝１５は、フレーム２１に設けられた保持部１３内に開口するよう当接面１３Ａに断続的に複数設けられている。【００４４】
この構成により、ロッドレンズアレイ２０をフレーム２１に固定するには、例えば図示しないスペーサー等を利用して、当接面１３Ａと底面１３Ｂにロッドレンズアレイ２０を密着させる。その後、第２の接着剤１７を長手方向において断続的に設けられた接着剤逃げ溝１５内に夫々塗布し、ロッドレンズアレイ２０とフレーム２１とを所定の読み取り幅に渡り固定するものである。
この時、ロッドレンズアレイ２０の切断時に切断面の両側に発生したバリ１８は、バリ逃げ溝１９に退避できる。【００４５】
本実施の形態では、ロッドレンズアレイを切断し、短尺のイメージセンサの読み取り幅に適合させた場合において、フレーム２１に設けられた保持部１３内に一対のバリ逃げ溝１９を設けたことにより、ロッドレンズアレイ２０の切断時に発生したバリ１８を退避できる。このため、接続前後のロッドレンズアレイの方向管理やバリの削り取りを行うことなくバリの影響を排除できる。【００４６】
また、第２の接着剤１７はロッドレンズアレイ２０の当接面１３Ａ側のみに塗布されるため、第２の接着剤１７の硬化時のヒケ、ひずみ等による影響をロッドレンズアレイ２０の片側のみに限定することできる。このためロッドレンズアレイ２０両側からの影響を排除でき、ロッドレンズアレイ２０の短手方向（幅方向）への位置ズレ、傾き等の影響を低減できる。【００４７】
尚、ロッドレンズアレイ５に用いるロッドレンズアレイはＡ４幅に限らず、また、必要に応じて何本接続しても構わない。また、ロッドレンズアレイ５には接続部、及び、切断部が混在していても構わない。
【産業上の利用可能性】
【００４８】
本発明の密着型イメージセンサユニットはイメージスキャナー、ファクシミリ、複写機等の画像読み取り装置として有効な技術である。
【図１】
2010106656.tif 000003
【図２】
2010106656.tif 000004
【図３】
2010106656.tif 000005
【図４】
2010106656.tif 000006
【図５】
2010106656.tif 000007
【図６】
2010106656.tif 000008
【図７】
2010106656.tif 000009
【図８】
2010106656.tif 000010
【図９】
2010106656.tif 000011
【図１０】
2010106656.tif 000012
【図１１】
2010106656.tif 000013
【図１２】
2010106656.tif 000014
【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
光電変換素子が複数実装されたセンサ基板と、
原稿照明用の光源と、
前記センサ基板に原稿からの反射光を結像する結像素子と、
これらを保持するフレームとを有するイメージセンサユニットであって、
前記結像素子は、少なくとも長手方向の一方の端部を切断した複数のロッドレンズアレイの切断部を互いに接続し所定の読み取り幅とし、
前記フレームは、前記ロッドレンズアレイを保持する保持部を有し、
前記保持部は、前記ロッドレンズアレイの切断部、及び／又は、接続部が位置する底面を幅広にすると共に、前記保持部の両壁面側に幅広にした前記底面より上端に至るように壁面に沿って設けられたバリ逃げ部を備えたことを特徴とするイメージセンサユニット。
【請求項２】
前記保持部内に開口するよう前記保持部の幅方向の一方の側面に断続的に設けられた複数の接着剤逃げ溝と、
前記ロッドレンズアレイの接続部を覆うように塗布された第１の接着剤と、
前記接着剤逃げ溝内に塗布され前記保持部と前記ロッドレンズアレイとを接着させた第２の接着剤とを有し、
前記第１の接着剤は、前記第２の接着剤より硬度が高いことを特徴とする請求項１に記載のイメージセンサユニット。
【請求項３】
前記接着剤逃げ溝は、少なくとも前記ロッドレンズアレイの接続部を挟んだ両側の前記保持部の幅方向の一方の側面に形成されていることを特徴とする請求項２に記載のイメージセンサユニット。
【請求項４】
光電変換素子が複数実装されたセンサ基板と、
原稿照明用の光源と、
前記センサ基板に原稿からの反射光を結像する結像素子と、
これらを保持するフレームとを有するイメージセンサユニットであって、
前記結像素子は、ロッドレンズアレイを切断して所定の読み取り幅とし、
前記フレームは、前記ロッドレンズアレイを保持する保持部を有し、
前記保持部は、前記ロッドレンズアレイの切断部が位置する底面を幅広にすると共に、前記保持部の両壁面側に幅広にした前記底面より上端に至るように壁面に沿って設けられたバリ逃げ部を備えたことを特徴とするイメージセンサユニット。
【請求項５】
光電変換素子が複数実装されたセンサ基板と、
原稿照明用の光源と、
前記センサ基板に原稿からの反射光を結像する結像素子と、
これらを保持するフレームとを有するイメージセンサユニットであって、
前記結像素子は、少なくとも長手方向の一方の端部を切断した複数のロッドレンズアレイの切断部を互いに接続し所定の読み取り幅とし、
前記フレームは、前記ロッドレンズアレイを保持する保持部を有し、
前記保持部は、前記ロッドレンズアレイの切断部、及び／又は、接続部が位置する底面に溝部を有することを特徴とするイメージセンサユニット。
【請求項６】
前記保持部内に開口するよう前記保持部の幅方向の一方の側面に断続的に設けられた複数の接着剤逃げ溝と、
前記ロッドレンズアレイの接続部を覆うように塗布された第１の接着剤と、
前記接着剤逃げ溝内に塗布され前記保持部と前記ロッドレンズアレイとを接着させた第２の接着剤とを有し、
前記第１の接着剤は、前記第２の接着剤より硬度が高いことを特徴とする請求項５に記載のイメージセンサユニット。
【請求項７】
前記接着剤逃げ溝は、少なくとも前記ロッドレンズアレイの接続部を挟んだ両側の前記保持部の幅方向の一方の側面に形成されていることを特徴とする請求項６に記載のイメージセンサユニット。
【請求項８】
光電変換素子が複数実装されたセンサ基板と、
原稿照明用の光源と、
前記センサ基板に原稿からの反射光を結像する結像素子と、
これらを保持するフレームとを有するイメージセンサユニットであって、
前記結像素子は、ロッドレンズアレイを切断して所定の読み取り幅とし、
前記フレームは、前記ロッドレンズアレイを保持する保持部を有し、
前記保持部は、前記ロッドレンズアレイの切断部が位置する底面に溝部を有することを特徴とするイメージセンサユニット。
【請求項９】
請求項１乃至８の何れか１項に記載のイメージセンサユニットを用いた画像読み取り装置。
【手続補正２】
【補正対象書類名】明細書
【補正対象項目名】０００７
【補正方法】変更
【補正の内容】
【０００７】
本発明のイメージセンサユニットは、光電変換素子が複数実装されたセンサ基板と、原稿照明用の光源と、前記センサ基板に原稿からの反射光を結像する結像素子と、これらを保持するフレームとを有するイメージセンサユニットであって、前記結像素子は、少なくとも長手方向の一方の端部を切断した複数のロッドレンズアレイの切断部を互いに接続し所定の読み取り幅とし、前記フレームは、前記ロッドレンズアレイを保持する保持部を有し、前記保持部は、前記ロッドレンズアレイの切断部、及び／又は、接続部が位置する底面を幅広にすると共に、前記保持部の両壁面側に幅広にした前記底面より上端に至るように壁面に沿って設けられたバリ逃げ部を備えたことを特徴とする。
本発明のイメージセンサユニットは、前記保持部内に開口するよう前記保持部の幅方向の一方の側面に断続的に設けられた複数の接着剤逃げ溝と、前記ロッドレンズアレイの接続部を覆うように塗布された第１の接着剤と、前記接着剤逃げ溝内に塗布され前記保持部と前記ロッドレンズアレイとを接着させた第２の接着剤とを有し、前記第１の接着剤は、前記第２の接着剤より硬度が高いことを特徴とする。
本発明のイメージセンサユニットは、前記接着剤逃げ溝は、少なくとも前記ロッドレンズアレイの接続部を挟んだ両側の前記保持部の幅方向の一方の側面に形成されていることを特徴とする。
本発明のイメージセンサユニットは、光電変換素子が複数実装されたセンサ基板と、原稿照明用の光源と、前記センサ基板に原稿からの反射光を結像する結像素子と、これらを保持するフレームとを有するイメージセンサユニットであって、前記結像素子は、ロッドレンズアレイを切断して所定の読み取り幅とし、前記フレームは、前記ロッドレンズアレイを保持する保持部を有し、前記保持部は、前記ロッドレンズアレイの切断部が位置する底面を幅広にすると共に、前記保持部の両壁面側に幅広にした前記底面より上端に至るように壁面に沿って設けられたバリ逃げ部を備えたことを特徴とする。
本発明のイメージセンサユニットは、光電変換素子が複数実装されたセンサ基板と、原稿照明用の光源と、前記センサ基板に原稿からの反射光を結像する結像素子と、これらを保持するフレームとを有するイメージセンサユニットであって、前記結像素子は、少なくとも長手方向の一方の端部を切断した複数のロッドレンズアレイの切断部を互いに接続し所定の読み取り幅とし、前記フレームは、前記ロッドレンズアレイを保持する保持部を有し、前記保持部は、前記ロッドレンズアレイの切断部、及び／又は、接続部が位置する底面に溝部を有することを特徴とする。
本発明のイメージセンサユニットは、前記保持部内に開口するよう前記保持部の幅方向の一方の側面に断続的に設けられた複数の接着剤逃げ溝と、前記ロッドレンズアレイの接続部を覆うように塗布された第１の接着剤と、前記接着剤逃げ溝内に塗布され前記保持部と前記ロッドレンズアレイとを接着させた第２の接着剤とを有し、前記第１の接着剤は、前記第２の接着剤より硬度が高いことを特徴とする。
本発明のイメージセンサユニットは、前記接着剤逃げ溝は、少なくとも前記ロッドレンズアレイの接続部を挟んだ両側の前記保持部の幅方向の一方の側面に形成されていることを特徴とする。
本発明のイメージセンサユニットは、光電変換素子が複数実装されたセンサ基板と、原稿照明用の光源と、前記センサ基板に原稿からの反射光を結像する結像素子と、これらを保持するフレームとを有するイメージセンサユニットであって、前記結像素子は、ロッドレンズアレイを切断して所定の読み取り幅とし、前記フレームは、前記ロッドレンズアレイを保持する保持部を有し、前記保持部は、前記ロッドレンズアレイの切断部が位置する底面に溝部を有することを特徴とする。
本発明の画像読み取り装置は、上述したイメージセンサユニットを用いたものである。
【手続補正３】
【補正対象書類名】明細書
【補正対象項目名】０００８
【補正方法】変更
【補正の内容】
【０００８】
以上のように、ロッドレンズアレイを切断したり接続したりすることで、長尺、又は短尺のイメージセンサの読み取り幅に適合させた場合、フレームに設けられた保持部において、ロッドレンズアレイの切断部、及び／又は、接続部が位置する底面を幅広にすると共に、保持部の両壁面側に幅広にした底面より上端に至るように壁面に沿って設けられたバリ逃げ部を備えたことにより、切断時に切断面に発生したバリを退避できる。このため、接続前後のロッドレンズアレイの方向管理やバリの削り取りを行うことなくバリ影響を排除できる。
また、フレームに設けられた保持部において、ロッドレンズアレイの切断部、及び／又は、接続部が位置する底面に溝部を備えたことにより、切断時に切断面に発生したバリを退避できる。このため、接続前後のロッドレンズアレイの方向管理やバリの削り取りを行うことなくバリ影響を排除できる。
【国際調査報告】
2010106656.tif 000015
2010106656.tif 000016
2010106656.tif 000017
2010106656.tif 000018